(57)【要約】【課題】組み合わされる多数の小組立体を有するジグソーパズルであってユーザが１つの小組立体を、次に多数の小組立体を組み立てることができるジグソーパズルを提供すること。【解決手段】ジグソーパズルはベースと、ベースの頂面上に分離可能に据えられた多数のパズルピースブロックとを含む。パズルピースブロックは、コーナパズルピースであってこれがベースのコーナに配置されることを示すための第１の印を有する複数のコーナピースブロックと、サイドパズルピースブロックであってこれがベースの側部に配置されることを示すための第２の印を有する複数のサイドパズルピースブロックと、コーナパズルピースブロックとサイドパズルピースブロックとにより取り囲まれた中央パズルピースとからなる。【選択図】図１
2006212141.tif 000002
【特許請求の範囲】
【請求項１】
ベースと、
前記ベースの頂面上に分離可能に据えられた多数のパズルピースブロックと、
前記ベースを取り巻く、複数のコーナフレームと少なくとも１つのサイドフレームとを含むフレーム組立体であって各コーナフレームが前記ベースの各コーナに配置され前記コーナフレーム２つの隣接する側壁から伸びる扇形の壁を有し、前記少なくとも１つのサイドフレームが前記ベースの側部に配置され前記サイドフレームの側面に形成された半円形の壁を有し、少なくとも１つのサイドフレームが２つのコーナフレーム間に挟まれている、フレーム組立体と、
各コーナフレームと前記少なくとも１つのサイドフレームとの２つの隣接する側壁を係合するための固定装置とを含む、ジグソーパズル。
【請求項２】
前記ベースは多数のベースユニットからなり、各ベースユニットは前記多数のベースユニットの対応する一つと選択的に係合可能である、請求項１に記載のジグソーパズル。
【請求項３】
前記ベースは多数のベースユニットであって各ベースユニットが前記多数のベースユニットの対応する一つと選択的に係合可能である多数のベースユニットからなりかつ多数の接続領域であってそれぞれが四分円として形状付けられた多数の接続領域を有し、各接続領域は第１の壁と第２の壁であって前記第１の壁の高さより低い高さを有する第２の壁との間に規定された弧状の間隙を含み、
ここに、円形のジョイントが複数のベースユニットを結合するように設けられ、前記円形のジョイントは該ジョイントの底面内に規定された凹所と、前記ジョイントの底面に形成された十字形の突出部と、各ベースユニットの第２の壁により取り囲まれた側壁に対応しかつこれを受け入れる前記十字形の突出部に規定された十字形の通路とを有し、前記円形のジョイントの周縁が前記ベースユニットの弧状の間隙に受け入れられ、前記少なくとも１つのサイドフレームの半円形の壁の周縁及び各コーナフレームの扇形の壁が前記ベースユニットの弧状の間隙に受け入れられた後、前記ベースユニットが互いに分離可能に接続される、請求項２に記載のジクソーパズル。
【請求項４】
前記ジョイントは、さらに、前記第２の壁の内面に形成されたフックに対応するように前記ジョイントの頂部の周縁に形成された段を有し、前記フックが前記ジョイントの段に隣接した後、隣接するベースユニット間の係合が確実にされる、請求項３に記載のジグソーパズル。
【請求項５】
各パズルピースブロックはその頂面に形成された多数の突起を有し、また複数のコーナパズルピースブロックと、複数のサイドパズルピースブロックと、複数の中央パズルピースブロックとを備え、各コーナパズルピースブロックはそのコーナの一つに対応するように前記コーナパズルピースブロックの裏側にそれぞれ形成された複数の第１の突起と、前記コーナパズルピースブロックが前記ベースの多数のコーナの一つに配置されることを指示するように前記コーナパズルピースブロックの第１の突起の３つを互いに接続する２つの第１のリブとを有し、各サイドパズルピースブロックはそのコーナの一つに対応するように前記サイドパズルピースブロックの裏側のそれぞれ形成された多数の第２の突起と、前記サイドパズルピースブロックが前記ベースの側部に配置されることを指示するように２つの第２の突起を互いに接続する第２のリブとを有し、各中央パズルピースブロックはこれが前記コーナパズルピースブロックと前記サイドパズルピースブロックとにより取り囲まれることを指示するように前記中央パズルピースブロックのコーナの一つに対応するように前記中央パズルピースブロックの裏側にそれぞれ形成された多数の第３の突起を有する、請求項４に記載のジグソーパズル。
【請求項６】
前記ベースはこれに規定された多数の貫通穴を有し、各コーナパズルピースブロックはその裏側に形成された第１の円形の段と、前記ベースの貫通穴の対応する一つを経て伸びる、前記円形段の中央から伸びる第１の円筒状の伸長部とを有し、各サイドパズルピースブロックはその裏側に形成された第２の円形の段と、前記ベースの貫通穴の対応する一つを経て伸びる、前記第２の円形段の中央から伸びる第２の円筒状の伸長部とを有し、各中央パズルピースブロックはその裏側に形成された第３の円形の段と、前記ベースの貫通穴の対応する一つを経て伸びるように前記第３の円形段の中央から伸びる第３の伸長部とを有し、前記コーナパズルピースブロックの第１の円筒状の伸長部、前記サイドパズルピースブロックの第２の円筒状の伸長部及び前記中央パズルピースブロックの第３の円筒状の伸長部が前記ベースの対応する貫通穴を経て伸張した後に前記第１の突起、前記第１の円形段、前記第２の突起、前記第２の円形段、前記第３の突起及び前記第３の円形段が前記ベースからの前記パズルピースブロックの分離を容易にすべく前記パズルピースブロックを前記ベースの頂面との係合から離れるようにする、請求項５に記載のジグソーパズル。
【発明の詳細な説明】
【技術分野】
【０００１】
本発明はジグソーパズル、より詳細にはベース組立体の頂面上に組み立てられたジグソーパズルのピースを確保すべく完全な絵及びフレームを形成するためにそれぞれ組み立てられる多数の小組立体を有するジグソーパズル組立体に関する。
【背景技術】
【０００２】
ジグソーパズルは子供の、大人にも人気のあるおもちゃである。一般的に、従来のジグソーパズルは複数のピースに分断された平面的な絵を有し、前記絵を再現すべくこれらのピースがぴったり合うようにされる。パズルのピースの数量は製造者により可変であり、これにより、パズルを行う際の困難性の程度が消費者の要求を満たすべく得られる。
【０００３】
三次元パズルと呼ばれるいくつかのジクソーパズルが考案されている。これらの三次元パズルのうちの一つは、種々のパターンが描かれた六面を有する複数の立方体ピースであって該立方体ピースの各面に対応する六つの絵を形成するように組み換え可能である立方体ピースからなる。
【０００４】
他の三次元ジグソーパズルは、水平なブラケットと垂直なブラケットとからなる三次元フレームを有する。これらのブラケットはこれらに規定された複数の穴を有する。ポールを有するパズルピースが、３次元の形状を形成すべく前記穴に挿入される前記ポールにより前記ブラケットに据えることができる。
【０００５】
第３の三次元ジクソーパズルには、同じ絵が描かれた複数のシートがある。これらのシートはジグソーパズルのピースに従って切断されている。これらのピースはそれぞれ前記シートに貼着され異なる番号を有し、これにより前記ピースは異なる厚さを有し、前記絵は三次元効果を表すように前記ピースにより再現される。
【０００６】
種々のパズルゲームは、プレーヤが同じ特徴のパズルピースを共に置くことによりパズルを次第に解いていくことができるようにプレーヤの要求を満たすが、プレーヤが先ずジグソーパズルの小組立体を組み立て、次いで組み立てられた小組立体を組み合わせて予め定められた絵を形成することを可能とするジグソーパズルを市場で求めることはできない。さらに、ジグソーパズルが完成した後に絵を保存するための構造はない。
【０００７】
この短所を克服するため、本発明は、前記した問題を軽減する改良されたジグソーパズルを提供することを企図する。
【発明の開示】
【発明が解決しようとする課題】
【０００８】
本発明の第１の目的は、組み合わされる多数の小組立体を有するジグソーパズルであってユーザが１つの小組立体を、次に多数の小組立体を組み立てることができるジグソーパズルを提供することにある。
【０００９】
本発明の他の目的は、ジグソーパズルの終了後に絵を保存するためにフレーム組立体が設けられたジグソーパズルを提供することにある。
【００１０】
さらに、本発明の他の目的は、絵が保護されるようにフレーム組立体をしっかりと組み合わせるためのフレーム組立体に対する保存装置を提供することにある。
【００１１】
本発明の他の目的、利点及び新規な特徴は、添付図面を考慮しての以下の詳細な説明からさらに明らかとなろう。
【課題を解決するための手段】
【００１２】
本発明は、ジグソーパズルに係り、ベースと、前記ベースの頂面上に分離可能に据えられた多数のパズルピースブロックと、前記ベースを取り巻く、複数のコーナフレームと少なくとも１つのサイドフレームとを含むフレーム組立体であって各コーナフレームが前記ベースの各コーナに配置され前記コーナフレーム２つの隣接する側壁から伸びる扇形の壁を有し、前記少なくとも１つのサイドフレームが前記ベースの側部に配置され前記サイドフレームの側面に形成された半円形の壁を有し、少なくとも１つのサイドフレームが２つのコーナフレーム間に挟まれている、フレーム組立体と、各コーナフレームと前記少なくとも１つのサイドフレームとの２つの隣接する側壁を係合するための固定装置とを含む。
【００１３】
一の実施態様において、前記ベースは多数のベースユニットからなり、各ベースユニットは前記多数のベースユニットの対応する一つと選択的に係合可能である。
【００１４】
この実施態様においては、さらに、前記ベースは多数のベースユニットであって各ベースユニットが前記多数のベースユニットの対応する一つと選択的に係合可能である多数のベースユニットからなりかつ多数の接続領域であってそれぞれが四分円として形状付けられた多数の接続領域を有し、各接続領域は第１の壁と第２の壁であって前記第１の壁の高さより低い高さを有する第２の壁との間に規定された弧状の間隙を含み、ここに、円形のジョイントが複数のベースユニットを結合するように設けられ、前記円形のジョイントは該ジョイントの底面内に規定された凹所と、前記ジョイントの底面に形成された十字形の突出部と、各ベースユニットの第２の壁により取り囲まれた側壁に対応しかつこれを受け入れる前記十字形の突出部に規定された十字形の通路とを有し、前記円形のジョイントの周縁が前記ベースユニットの弧状の間隙に受け入れられ、前記少なくとも１つのサイドフレームの半円形の壁の周縁及び各コーナフレームの扇形の壁が前記ベースユニットの弧状の間隙に受け入れられた後、前記ベースユニットが互いに分離可能に接続されるものとすることができる。
【００１５】
前記ジョイントは、さらに、前記第２の壁の内面に形成されたフックに対応するように前記ジョイントの頂部の周縁に形成された段を有し、前記フックが前記ジョイントの段に隣接した後、隣接するベースユニット間の係合が確実にされるものとすることができる。
【００１６】
また、各パズルピースブロックはその頂面に形成された多数の突起を有し、また複数のコーナパズルピースブロックと、複数のサイドパズルピースブロックと、複数の中央パズルピースブロックとを備え、各コーナパズルピースブロックはそのコーナの一つに対応するように前記コーナパズルピースブロックの裏側にそれぞれ形成された複数の第１の突起と、前記コーナパズルピースブロックが前記ベースの多数のコーナの一つに配置されることを指示するように前記コーナパズルピースブロックの第１の突起の３つを互いに接続する２つの第１のリブとを有し、各サイドパズルピースブロックはそのコーナの一つに対応するように前記サイドパズルピースブロックの裏側のそれぞれ形成された多数の第２の突起と、前記サイドパズルピースブロックが前記ベースの側部に配置されることを指示するように２つの第２の突起を互いに接続する第２のリブとを有し、各中央パズルピースブロックはこれが前記コーナパズルピースブロックと前記サイドパズルピースブロックとにより取り囲まれることを指示するように前記中央パズルピースブロックのコーナの一つに対応するように前記中央パズルピースブロックの裏側にそれぞれ形成された多数の第３の突起を有するものとすることができる。
【００１７】
この実施態様においては、前記ベースはこれに規定された多数の貫通穴を有し、各コーナパズルピースブロックはその裏側に形成された第１の円形の段と、前記ベースの貫通穴の対応する一つを経て伸びる、前記円形段の中央から伸びる第１の円筒状の伸長部とを有し、各サイドパズルピースブロックはその裏側に形成された第２の円形の段と、前記ベースの貫通穴の対応する一つを経て伸びる、前記第２の円形段の中央から伸びる第２の円筒状の伸長部とを有し、各中央パズルピースブロックはその裏側に形成された第３の円形の段と、前記ベースの貫通穴の対応する一つを経て伸びるように前記第３の円形段の中央から伸びる第３の伸長部とを有し、前記コーナパズルピースブロックの第１の円筒状の伸長部、前記サイドパズルピースブロックの第２の円筒状の伸長部及び前記中央パズルピースブロックの第３の円筒状の伸長部が前記ベースの対応する貫通穴を経て伸張した後に前記第１の突起、前記第１の円形段、前記第２の突起、前記第２の円形段、前記第３の突起及び前記第３の円形段が前記ベースからの前記パズルピースブロックの分離を容易にすべく前記パズルピースブロックを前記ベースの頂面との係合から離れるようにすることができる。
【発明の効果】
【００１８】
本発明によれば、組み合わされる多数の小組立体を有するジグソーパズルであってユーザが１つの小組立体を、次に多数の小組立体を組み立てることができるジグソーパズルを提供することができる。また、ジグソーパズルの終了後に絵を保存するためにフレーム組立体が設けられたジグソーパズルを提供することができる。さらに、絵が保護されるようにフレーム組立体をしっかりと組み合わせるためのフレーム組立体に対する保存装置を提供することができる。
【発明を実施するための最良の形態】
【００１９】
図１を参照すると、本発明に係るジグソーパズルは、フレーム組立体１と、該フレーム組立体によりしっかりと組み立てられたパズルピース組立体２とを含む。
【００２０】
図２及び図３を参照すると、本発明のパズルピース組立体２は、多数のベースユニット２１と、ベースユニット２１の頂面上に分離可能に据えられた多数のパズルピースブロック２２とを含む。ベースユニット２１は該ベースユニットに規定された多数の貫通穴２１１を有する。
【００２１】
図４、図５及び図６を参照すると、独特の絵が各パズルピースブロック２２の頂面に描かれた後に光の独特の反射を表すために多数の突起２２０（図３）が各パズルピースブロック２２の頂部に形成され、光が前記突起２２０上で光り輝く。パズルピースブロック２２は４つのコーナパズルピースブロック２２Ａと、複数のサイドパズルピースブロック２２Ｂと、複数の中央パズルピースブロック２２Ｃとを含む。各コーナパズルピースブロック２２Ａは、複数の突起（この例では４つが形成されている）（第１の突起）２２Ａ１であってそれぞれがコーナパズルピースブロック２２Ａの底部側のコーナの対応する１つに形成された突起２２Ａ１と、突起２２Ａ１の１つから伸び２つの異なる突起２２Ａ１をそれぞれ接続する２つの第１のリブ２２Ａ２とを有する。
【００２２】
各サイドパズルピースブロック２２Ｂは複数の突起２２Ｂ１（この例では４つ）（第２の突起）を有し、各突起がサイドパズルピースブロック２２Ｂの底部側のコーナの対応する１つに形成され、１つの第２のリブ２２Ｂ２が２つの突起２２Ｂ１を互いに接続している。各中央パズルピースブロック２２Ｃは該中央パズルピースブロックの底部側のコーナの対応する１つにそれぞれ形成された複数の突起２２Ｃ１（この例では４つ）（第４の突起）を有する。さらに、各コーナパズルピースブロック２２Ａ、各サイドパズルピースブロック２２Ｂ及び各中央パズルピースブロック２２Ｃは、コーナパズルピースブロック２２Ａ、サイドパズルピースブロック２２Ｂ及び中央パズルピースブロック２２Ｃのそれぞれの底部側に形成された円形の段２２Ａ３，２２Ｂ３，２２Ｃ３と、コーナパズルピースブロック２２Ａ、サイドパズルピースブロック２２Ｂ及び各中央パズルピースブロック２２Ｃのそれぞれの円形段２２Ａ３，２２Ｂ３，２２Ｃ３の中央から伸び、図７に示すようにベースユニット２１の貫通穴２１１の一つに対応しかつ受け入れられる円筒状の延長部２２Ａ４，２２Ｂ４，２２Ｃ４とを有する。
【００２３】
コーナパズルピースブロック２２Ａの２つのリブ２２Ａ２の形成は、このコーナパズルピースブロック２２Ａがパズルピース組立体２のベースユニット２１の特定のコーナに配置されることを指示するものである。サイドピースブロック２２Ｂのリブ２２Ｂ２は、この特定のサイドパズルピースブロック２２Ｂがベースユニット２１の特定の側部に配置され、次に中央パズルピースブロック２２Ｃがコーナパズルピースブロック２２Ａとサイドパズルピースブロック２２Ｂとにより取り囲まれる。したがって、コーナパズルピースブロック２２Ａ、サイドパズルピースブロック２２Ｂ及び中央パズルピースブロック２２Ｃがベースユニット２１の頂面上に据えられた後、コーナパズルピースブロック２２Ａ、サイドパズルピースブロック２２Ｂ及び中央パズルピースブロック２２Ｃの突起２２Ａ１，２２Ｂ１，２２Ｃ１は、コーナパズルピースブロック２２Ａ、サイドパズルピースブロック２２Ｂ及び中央パズルピースブロック２２Ｃの底面にベースユニット２１の頂面を係合させないようにする。
【００２４】
図８を参照すると、ベースユニット２１の底面に多数の接続領域２１２（この例では４つ）が設けられ、それぞれが四分円をなす。各接続領域２１２は、第１の壁２１２２と該第１の壁の高さより低い高さを有する第２の壁２１２３との間に規定された弧状の間隙２１２１と、第１の壁２１２２の内面に形成されたフック２１２４とを含む。円形のジョイント３がベースユニット２１を結合して一体にするように設けられている。この実施例では、ジョイント３は４つのベースユニット２１を結合することが可能である。ジョイント３は、該ジョイントの底面に規定された凹所３１と、ジョイント３の底面に形成された十字形状の突出部３２であって該突出部に規定された十字形の通路３２１を有する突出部３２とを有する。さらに、図８Ａの記載から、ジョイント３は、フック２１２４に対応するジョイント３の頂部周縁に形成された段３０を有する。
【００２５】
図９を参照すると、ベースユニット２１の貫通穴２１１に入る円筒状伸長部２２Ａ４，２２Ｂ４，２２Ｃ４を介してベースユニット２１の頂部に分離可能に据えられたパズルピースブロック２２を有するベースユニット２１を結合するようにジョイント３が適用されるとき、フック２１２４が段３０の頂部上にあってジョイント３を弧状の間隙２１２１に固定する。さらに、第２の壁２１２３の高さが第１の壁２１２２の高さより低いため、ジョイント３が弧状の間隙２１２１内に受け入れられた後、ジョイント３の頂面がベースユニット２１の第１の壁２１２２と同じ高さに位置する。さらに、ベースユニット２１の第２の壁２１２３により取り囲まれた側壁がそれぞれ円形のジョイント３の十字形通路３２１に受け入れられる。
【００２６】
図１０、図１１及び図１２を参照すると、本発明のフレーム組立体１はコーナフレーム１１とサイドフレーム１２とを含む。本発明のフレーム組立体１の構造を簡単にするため、１つのサイドフレーム１２のみが２つのコーナフレーム１１間に導入される。コーナフレーム１１とサイドフレーム１２との組み合わせは矩形を形成する。コーナフレーム１１は、ベースユニット２１の弧状の間隙２１２１に対応するコーナフレーム１１の２つの隣接する側壁間に形成された扇形の壁１１１を有する。コーナフレーム１１とサイドフレーム１２とを結合するためにコーナフレーム１１とサイドフレーム１２との間に第１の固定装置が設けられている。第１の固定装置は２つの半円筒状の突起である、コーナフレーム１１の側部に形成された第１の半円筒状突起１１２と、サイドフレーム１２の側部に形成され第１の半円筒状突起１１２と結合して円筒を形成する第２の半円筒状突起１２１とを含む。前記第１の固定装置は、さらに、第１の半円筒状突起１１２と第２の半円筒状突起１２１とを受け入れる中空の円筒状のコネクタ１３を有する。第１の半円筒状突起１１２と第２の半円筒状突起１２１とが円筒状のコネクタ１３内に受け入れられた後、コーナフレーム１１とサイドフレーム１２とが固く結合される。さらに、サイドフレーム１２は、２つのベースユニット２１の２つの弧状の間隙２１２１の組み合わせに対応するようにサイドフレーム１２の側面に形成された半円形状の壁１２２を有する。このため、図１２の記載から、ジョイント３は４つのベースユニット２１を結合することができ、コーナフレーム１１の扇形の壁１１１は１つのベースユニット２１を接続することができ、またサイドフレーム１２の半円形状の壁１２２は２つのベースユニット２１を結合することができる。
【００２７】
図２及び図３を参照すると、本発明のパズルピース組立体２が多数のベースユニット２１で構成され、各ベースユニット２１がこの上に分離可能に据えられた多数のパズルピースブロック２２を有するため、ユーザは、トラベルパッケージとして、１のベースユニット２１を該１つのベースユニット上のパズルピースブロック２２と共に個々にまとめることができる。すなわち、前記ジグソーパズルのプレーヤは、各パズルピースブロック２２がベースユニット２１上に据えられるように、バス旅行等での娯楽として前記ジグソーパズルの一部を持っていくことができ、プレーヤは次に複数のベースユニット２１をジョイント３で一つずつ結合することができる。したがって、前記コーナパズルピースブロック及び前記サイドパズルピースブロックの裏側に形成された前記リブの指示に加えて、前記ジグソーパズルの困難性のレベルは前記トラベルパッケージにより軽減され得る。
【００２８】
異なる固定装置の導入から、本発明のフレーム組立体は、コーナフレーム１１とサイドフレーム１２とが互いに固く接続されている限り任意の方法で組み立てることができる。本発明のフレーム組立体１が組み立てられかつパズルピース組立体２がフレーム組立体１により固く組み立てられた後、完全なジグソーパズルは、各パズルピースブロック２２の頂部上の突起２２０から得られるその特別な光反射のため、見る者の注意を引く独特の引き付け力を示す。
【図面の簡単な説明】
【００２９】
【図１】本発明のジグソーパズルの斜視図である。
【図２】本発明のジグソーパズルの小組立体を示す。
【図３】本発明のジグソーパズルの小組立体の分解斜視図である。
【図４】本発明のパズルピースブロックの小組立体の前記パズルピースブロックの背面又は裏面側の斜視図である。
【図５】本発明のパズルピースブロックの小組立体の前記パズルピースブロックの背面又は裏面側の斜視図である。
【図６】本発明のパズルピースブロックの小組立体の前記パズルピースブロックの背面又は裏面側の斜視図である。
【図７】パズルピースブロック及び第２フレームの間の組み合わせを示す断面図である。
【図８】一のベースユニットに他のベースユニットに組み合わされることを可能にすべく前記ベースユニットの底面にジョイントが設けられていることを示す分解斜視図である。
【図８Ａ】ジョイントの構造を示す側面図である。
【図９】パズルピースブロック、ベースユニット及びジョイントの一つの間で組立体を示す断面図である。
【図１０】本発明のサイドフレームの斜視図である。
【図１１】サイドフレームの底部側及びコーナフレームの分解斜視図である。
【図１２】本発明のジグソーパズル組立体の底部側の構造を示す斜視図である。
【符号の説明】
【００３０】
１  フレーム組立体
２  パズルピース組立体
３  ジョイント
１１  コーナフレーム
１３  コネクタ
１２  サイドフレーム
２１  ベースユニット
２２  パズルピースユニット
２２Ａ  コーナパズルピースブロック
２２Ｂ  サイドパズルピースブロック
２２Ｃ  中央パズルピースブロック
【図１】
2006212141.tif 000003
【図２】
2006212141.tif 000004
【図３】
2006212141.tif 000005
【図４】
2006212141.tif 000006
【図５】
2006212141.tif 000007
【図６】
2006212141.tif 000008
【図７】
2006212141.tif 000009
【図８】
2006212141.tif 000010
【図８Ａ】
2006212141.tif 000011
【図９】
2006212141.tif 000012
【図１０】
2006212141.tif 000013
【図１１】
2006212141.tif 000014
【図１２】
2006212141.tif 000015